(57)【要約】【課題】本発明は、化粧品と相互作用するマイクロポンプディスペンサー用の浸漬管に関する。【解決手段】浸漬管に沿って1種または複数の孤立させた成分の粒子分配を制御することによって、本発明は、制御された効果を達成する。これらの効果は、一様の化学的な特性を配合物に与えるか、または高度な視覚効果を構築することであり得る。本発明は、通常の浸漬管を改造して、機能性浸漬管に変える方法を含んでなる。【選択図】図１
2007534563.tif 000002
【特許請求の範囲】
【請求項１】
浸漬管本体と、
浸漬管本体の高さの大部分を囲む1種または複数の閉じ込め空間と、
閉じ込め空間内に位置する1種または複数の孤立させた成分
を含んでなる、ポンプディスペンサー用の機能的な浸漬管。
【請求項２】
浸漬管本体の高さの大部分を囲む外管をさらに含み、当該外管が浸漬管本体に取り付ける上端および下端を含んでなる、請求項１に記載の機能的な浸漬管。
【請求項３】
外管がさらに、閉じ込め空間と外管の外部との間の流体連通を可能とする孔を含む、請求項２に記載の機能的な浸漬管。
【請求項４】
孤立させた成分が閉じ込め空間から流出することを防止するように、孔が寸法決定されている、請求項３に記載の機能的な浸漬管。
【請求項５】
２以上の閉じ込め空間を含んでなる、請求項１に記載の機能的な浸漬管。
【請求項６】
閉じ込め空間がそれぞれ、1種または複数の孤立させた成分を含む、請求項５に記載の機能的な浸漬管。
【請求項７】
浸漬管本体および外管が、浸漬管本体に沿って異なる距離で区切られている、請求項２に記載の機能的な浸漬管。
【請求項８】
外管がメッシュから形成されている、 請求項２に記載の機能的な浸漬管。
【請求項９】
メッシュが、織布、プラスチックスクリーンおよび金属スクリーンからなる群から選択される、請求項８に記載の機能的な浸漬管。
【請求項１０】
孤立させた成分の少なくとも1種が磁気である、請求項１に記載の機能的な浸漬管。
【請求項１１】
浸漬管本体の高さの少なくとも50%が、1種または複数の閉じ込め空間によって囲まれている、請求項１に記載の機能的な浸漬管。
【請求項１２】
浸漬管本体の高さの少なくとも75%が、1種または複数の閉じ込め空間によって囲まれている、請求項11に記載の機能的な浸漬管。
【請求項１３】
浸漬管本体の高さの少なくとも90%が、1種または複数の閉じ込め空間によって囲まれている、請求項12に記載の機能的な浸漬管。
【請求項１４】
浸漬管本体の少なくとも一部を囲む外管をさらに含み、当該外管が、上端および下端と、1種または複数の閉じ込め空間が内壁と外壁との間に位置するような同軸の内壁および外壁とを含んでなる、請求項１に記載の機能的な浸漬管。
【請求項１５】
浸漬管本体と、
浸漬管本体の高さの大部分を囲む1種または複数の閉じ込め空間（ここで、当該閉じ込め空間は、閉じ込め空間内に位置する1種または複数の孤立させた成分に適合するか、または閉じ込めることができる）と
を含んでなる、ポンプディスペンサー用の機能的な浸漬管。
【請求項１６】
ポンプディスペンサーを収容するのに適した首仕上げを有する容器と、
容器内に配置した化学製品と、
容器に取り付けたポンプディスペンサーを含む、分配包装であって、
該ポンプディスペンサーが、
浸漬管本体と、
浸漬管本体の少なくとも一部を囲む閉じ込め空間と、
閉じ込め空間内に位置する1種または複数の孤立させた成分
を有する機能的な浸漬管を含んでなる、分配包装。
【請求項１７】
浸漬管本体の高さの大部分をおおって、浸漬管本体の周囲に、1種または複数の孤立させた成分を閉じ込め空間内に収容するように適合した当該空間を配置する工程を含んでなる、機能的な浸漬管を製造する方法。
【発明の詳細な説明】
【技術分野】
【０００１】
本発明は、消費者製品および包装の分野に属する。具体的には、本発明は、化粧品に接触するマイクロポンプディスペンサー用の浸漬管に関する。
【背景技術】
【０００２】
化粧品は時折、容器内の1種または複数の成分が、その他の配合物（すなわち、配合物の残りの成分）から孤立するように、消費者向けの容器内に包装される。「孤立させる（isolated）」とは、1種または複数の成分が、成分を化粧品配合物中に組み入れる通常の方法で自由には混合、分散、溶解、または縣濁しないことをいう。より正確に言えば、これらの成分は、消費者包装内の特定の領域に閉じ込められ、その他の配合物と継続的な物理的および化学的接触をしても、しなくてもよい。「化学的接触」は、若干の化学反応、結合その他の作用が、孤立させた成分とその他の配合物との間で生じることを意味する。例えば、この化学的接触の定義には、磁場が化粧品配合物に及ぼし得る作用も含まれる。この種のシステムは、孤立させた成分が作用を受けてはいるが、それ自体、孤立させた成分を含まない製品を分配することが望ましい場合に、用いられ得る。これを用いる理由は、規制上の、機械的または審美的理由であり得る。化粧品における特定の成分は、消費者と接触しない限り、法律上許されている。あるいは、ある種の成分は、その大きさその他の特徴のために、いくつかの一般的な化粧品ディスペンサー、例えばマイクロポンプ噴霧機を介しての分配に適さない。他方、分配された製品中に特定の成分が存在すると、皮膚炎などの消費者の好ましくない応答を引き起こすかもしれない。配合物の主要部分から孤立させ得る成分の例には、制限されるわけではないが、吸収剤、消泡剤、抗真菌剤、抗菌剤、酸化防止剤、静電気防止剤、キレート剤、防蝕剤、殺生物剤、脱臭剤、イオン交換剤、酸化剤、pH調整剤、防腐剤、還元剤、鉱物、装飾用の石、磁石、金属、ガラス玉および生物学的製品が含まれる。
【０００３】
1種または複数の孤立させた成分のための閉じ込め領域を有する分配容器は公知である。孤立させた成分は、閉じ込め領域内に完全に保持されるが、孤立させた成分とその他の配合物との間の化学的接触は許容される。この例には、孤立させた成分は閉じ込めるが、その他の製品に対しては多孔性であるチャンバーが含まれる。これらのチャンバーは、容器の下部に固定して配置されているか、または注入容器の首に固定されているか(米国特許第5,249,712号)または圧搾容器のノズル中に固定されていてもよい(米国特許第5,056,689号; 米国特許第5,080,800号; 米国特許第5,496,471号; 米国特許第5,612,361号; 米国特許第5,639,378号)。またはそれらは配合物中に放たれていてもよい。このシステムの効果は、関与する配合物種に制限される。孤立させた成分の効果の一様な分布を成し遂げるためには、その他の配合物は、孤立させた成分とその他の配合物との間の化学的な接触が起こり得るように、閉じ込め領域を自由に行き来することが可能でなければならない。このため、非粘性液体が、このシステムにはより適している。なぜなら熱的あるいは動的な振動により、配合物の全てが孤立させた成分との化学的な接触を成し遂げ得る可能性が高まるからである。粘性製品と共にこのシステムを使用すると、孤立させた成分とその他の配合物との間の不完全な化学的接触と、孤立させた成分の効果の一様でない分布を招き得る。例えば、高粘度の粘性クリームを考える。防腐剤を含有する閉じ込め領域近くの高粘度のクリーム部分は、保存が良好となり得る一方で、閉じ込め領域から離れた部分はかび成形が見え始める。これに対処するためには、孤立させた成分を直接配合物中に取り入れる場合に用いるものよりもかなり強力な孤立させた成分を使用し得る。ここでの問題には、かかる孤立させた成分が存在し得、あるいはかかる強力な成分の使用が法的にまたは商業的に受け入れ難いかもしれないという事実がある。
【０００４】
他の問題は、チャンバーの厳密な位置によって起こる。チャンバーが容器の底近くに位置する場合には、製品を容器から取り除くにつれて、配合物に対する孤立させた成分の比率が変化する。その結果、消費者にとって一定しない製品体験が生じ得る。他方、チャンバーが容器の頂部近くに位置する場合には、配合物は一般に、孤立させた成分と化学的な接触をしないかもしれない。（消費者が振り動かさないかもしれない）容器を振り動かして初めて化学的な接触が成し遂げられ、その結果は非常に変わり易い。チャンバーが分配ノズル内に位置している場合には、配合物の各部分は一般に、その各部分がノズルから出て行く途中で閉じ込めチャンバー内を通過するまで孤立させた成分との化学的な接触がない。このシステムの欠点には、配合物の異なる部分が、孤立させた成分と非常に異なる接触時間を有するという事実がある。当該分配システムを速く通過する部分は、孤立させた成分とのごく短時間の化学的な接触しかない一方で、分配操作間に、ノズルの閉じ込めチャンバー内およびその付近に残存する部分は、孤立させた成分とずっと長く接触し得る。この場合も、結果として、消費者にとって一定しない製品体験となり得る。この同様の問題は、単にノズル内だけではなく製品流路のいかなる場所にチャンバーが位置するときでも遭遇し得る。
【０００５】
ケミカルフィルターまたはメカニカルフィルターを使用して、分配直前に、1種または複数の成分をその他の配合物から孤立させる分配容器もまた、公知である。この場合も、そのようにする理由は、規制上、機械的または審美的な理由であるかもしれない。これらのシステムは、一定しないという問題は少ないが、これらのシステムは、追加のフィルター部品の関連コストと、化粧品ディスペンサーの小さい空間内に、都合よく取り入れることができる適切なフィルターが存在しないかもしれないという事実、などにより制限される。また、このシステムは、孤立させた成分を配合物から取り出した後でさえ、孤立させた成分の効果が残存する場合に限って、適切となる。いつもこうであるとは限らない。また、トラップされた成分がフィルターを詰まらせる場合には、分配機構は使用できなくなり得る。
【０００６】
浸漬管が外管によって囲まれている機械式ポンプディスペンサーは、公知である。米国特許第 6,119,897号は、浸漬管用の単に芸術性の高い外管を開示する。外管は、多孔性でなく、さらに、1種または複数の孤立させた成分に適合する、または閉じ込め可能な閉じ込め空間を画定していない。米国特許第4,475,667号は、上下逆さの吹付けを可能にした実際には補助の浸漬管である外管を開示する。外管は、多孔性でなくて、1種または複数の孤立させた成分に適合させた、または閉じ込め可能な閉じ込め空間を画定していない。米国特許第4,107,043号および米国特許第 6,227,412号は、浸漬管の端に取り付けられたメカニカルフィルターを開示しているが、フィルターハウジングによって囲まれているのは、浸漬管の端にほかならない。フィルターハウジングは、いかなる孤立させた成分も閉じ込めないし、閉じ込める場合であっても、浸漬管の最小部分だけが囲まれるので、本発明の成果を成し遂げないであろう。米国特許第 6,170,711号は、浸漬管の一部が、孤立させた成分、すなわち磁石を閉じ込める球状包装材によって囲まれている浸漬管を記載している。しかしながら、この包装材は浸漬管と比較して比較的小さい。その理由は、いくつかある。第１に、包装材は、製品の表面に浮遊するのに十分軽くなければならない。容器が充満している場合には、容器の上部で、より大きな包装材を収めるには不十分な空間であるかもしれない。また、小さい包装材の目的は、製品が浸漬管のごく一部を通過するときに、製品に対してかなりの効果があるように浸漬管の当該部分の一面に磁気エネルギーを内部に集結させることである 。この設計は、浸漬管のごく一部を通過する製品にのみ効果があり、容器内の製品のいたるところに同一の効果があるように試みていない。また、多孔性の外管の開示はなされていない。
【０００７】
孔を有する浸漬管は、米国特許第 4,418,846号および米国特許第 4,530,450号に記載のように公知である。各特許に開示された多孔性浸漬管は、3相エアロゾル製品の液化推進剤相の分配を促進する。米国特許第 6,491,463号は、容器をひっくり返して分配を可能にする複数の開口を有する浸漬管を開示する。これらのいずれも、1種または複数の孤立させた成分用の閉じ込め空間を画定する多孔性外管を開示していない。
【０００８】
一般に、従来技術の中心は、とても標準的な見かけの製品（very standard looking product）の外観および性能の悪化を防止することである。本発明が属する分野の従来技術は、消費者包装内の1種または複数の孤立させた成分の制御分布によって、高度な視覚効果および／または活性成分の改良された性能を構築することができることを記載も示唆もしていない。
【特許文献１】米国特許第5,249,712号
【特許文献２】米国特許第5,056,689号
【特許文献３】米国特許第5,080,800号
【特許文献４】米国特許第5,496,471号
【特許文献５】米国特許第5,612,361号
【特許文献６】米国特許第5,639,378号
【特許文献７】米国特許第6,119,897号
【特許文献８】米国特許第4,475,667号
【特許文献９】米国特許第4,107,043号
【特許文献１０】米国特許第6,227,412号
【特許文献１１】米国特許第6,170,711号
【特許文献１２】米国特許第4,418,846号
【特許文献１３】米国特許第4,530,450号
【特許文献１４】米国特許第6,491,463号
【発明の開示】
【発明が解決しようとする課題】
【０００９】
本発明の目的は、以下を含む：
従来技術において、これまで成し遂げられてきたよりも優れたやり方で、孤立させた成分の効果を製品の全体にわたって一様に発揮できる化粧品包装、
粘性製品中でさえ孤立させた成分の効果を一様に発揮できる化粧品包装、
孤立させた成分の効果を一様に発揮する一方で、必要とされる孤立させた成分の効能または量を最小にする化粧品包装、
孤立させた成分に対する製品の比率が一定に保たれるか、またはよりよく制御され得るように自己調整的に、孤立させた成分の効果を一様に発揮できる化粧品包装、
孤立させた成分を使用して高度な視覚効果を達成する化粧品包装、
孤立させた成分の分配を支える機能性浸漬管、
通常の浸漬管を改良して、機能性浸漬管に変える方法。
【課題を解決するための手段】
【００１０】
上記は全て、ポンプ浸漬管が、包装容器中で、少なくとも浸漬管の軸方向に、すでに一様に分配されているという事実を活用することにより、化粧品ポンプを有する包装において成し遂げられる。1種または複数の孤立させた成分を浸漬管と結びつけると共に、浸漬管の長さに沿って孤立させた成分の粒子分配を制御することによって、本発明は、制御効果を成し遂げる。これらの効果は、一様な化学的特性を配合物に付与するかまたは高度な視覚効果を構築することであってもよい。
【発明を実施するための最良の形態】
【００１１】
図1は、ポンプディスペンサー（p）を有する一般的な容器(c)を表す。ポンプディスペンサーは、浸漬管（d）を含む。最も一般的には、浸漬管は、プラスチック（例えばポリエチレンまたはポリプロピレン）の円柱管にすぎない。それらは、容器からポンプ開口部（o）まで、浸漬管を介した製品の流れを可能にするために両端が開いている。浸漬管の底部は、束縛がない一方で、頂部は、浸漬管を軸（s）に挿入することによって、ポンプの軸に取り付けられる（またはその逆）。この種の包装を設計する際には、浸漬管は、その外径、その内径およびその長さの点で寸法を決定し、材料は、浸漬する製品（L）との適合性の点で選択される。一般的に、容器から排出可能な製品の量を最大にするために、浸漬管の長さは、容器の底に接触するのに十分な長さである。浸漬管は、容器の底に向かってまっすぐに降下しており、時には、浸漬管は、容器の角に達するようにその底部の近くで屈曲していてもよい。浸漬管の底部が容器に接触する場合には、浸漬管の底部の開口が閉鎖されないように、浸漬管の底部に切欠きを入れるかまたは角を落とすこともある。本明細書の全体にわたって、用語「浸漬管本体（dip tube proper）」は、上記に記載した従来の浸漬管すなわち容器からポンプ開口部までの流体連通を可能にする導管をいう。本発明は更に、孤立させた成分が浸漬管本体の高さの実質的な部分に渡って制御された様式で分布することができるように、孤立させた成分用の閉じ込め空間を浸漬管本体に設ける。用語「高さの実質的な部分」は、高さの少なくとも50%を意味する。好ましくは、孤立させた成分が、高さの少なくとも75%、最も好ましくは、高さの少なくとも90%に渡って分配されている。高さの50%における分配で、かなりの効果が、すでに成し遂げられ、浸漬管本体の高さのより一層多くが利用されるにつれてその利点は増加する。
【００１２】
本発明の機能性浸漬管の第１の実施形態を、図2aに示す。機能性浸漬管1は、浸漬管本体2と、浸漬管本体の高さの少なくとも一部に渡って、浸漬管本体の周囲を囲む外管3（断面で示す）を含んでいる。図に示されているように、外管は実質的に、浸漬管本体の全長に渡って浸漬管本体を囲んでいる。外管の頂部3aおよび底部3bは、何らかの適切な手段4によって、浸漬管本体に取り付けられる。適切な手段としては、摩擦嵌合ガスケット（friction fit gasket）、下記のようなスナップ嵌合カラーシステム（snap-fit collar system）、一体成形、接着、または外管の頂部と底部の浸漬管本体への融着がある。閉じ込め空間5が、外管と浸漬管本体の間に存在する。この空間は、1種または複数の孤立させた成分(I、明確にするため図2aには示さない）を収容、閉じ込めに適合している。孔7が、空間5と外管の外部との間の流体連通を可能にするよう外管の長さに沿って設けられている。外管の頂部と底部もまた、孔を有していてもよい。孔は、孤立させた成分が閉じ込め空間から流出することを防止する一方で、その他の配合物の少なくとも一部が閉じ込め空間に出入りすることを可能にするような大きさに作られている。孔の密度あるいは総数はまた、孤立させた成分によって成し遂げられる効果のレベルを観察することと、適切に孔の数を調整することにより、日常的な実験で決定することができる。
【００１３】
容器(6)に取り付けられたとき、外管の外部は、配合物（明確にするため図2aには図示せず）を保持する容器の内部にある。浸漬管本体および外管は、同じであるか異なる材料からなり得る。外管の所与の長さに対して、閉じ込め空間の容積は、浸漬管本体の外壁2cと外管の内壁3cとの間の距離Dを管理することによって制御される（図2bを参照）。この容積は、配合物中に用いられる特定の量の孤立させた成分を収容するように選択される。更なる考慮すべき問題は、機能性浸漬管の全径が、用いられる容器に嵌合可能なものでなければならないということである。典型的な化粧品およびパーソナルケアの容器は、首開口部が8〜105ミリメートルの範囲にある。機能性浸漬管の全径は、容器開口部の直径より小さいか、あるいは、機能性浸漬管が、容器の開口部から押し込むことができる限りにおいて、より大きくてもよい。単純な実施形態において、閉じ込め空間は、浸漬管本体の長さに対して十分に広がっており、一種の孤立させた成分で満たされている。このように、孤立させた成分は、容器の高さに沿って、その他の配合物と流体連通する。孤立させた成分の分布は、容器内の製品の高さに沿って、実質的に一定である。その高さに沿ってほぼ一定な横断面を有する容器（例えば、円筒状ボトル）の場合には、孤立させた成分の効果は、ボトル内の製品の高さに沿って、均一に分布する。さらに、製品が容器から分配されるとき、配合物と化学的な接触をする孤立させた成分に対する製品の比率は、比較的一定に保たれ、その結果、消費者体験は、従来に成し遂げられてきたものよりもはるかに一貫したものとなる。よりエキゾチックな形状を有する容器の場合でさえ、孤立させた成分の効果は、従来技術にみられるような特定の場所に集中されるよりもむしろ、容器の高さに沿って分布する。また一方、本発明のより高度な実施形態においては、エキゾチックな容器形状に対しても、従来技術とは全く異なり、補正する(compensate)ことができる。
【００１４】
外管3は、浸漬管本体2と実質的に同じ長さであってもよいし、または外管は、浸漬管本体より短くてもよい。好ましい実施形態において、浸漬管本体は、外管の底部（3b）を越えて下方へ延びているが、外管の底部が実質的に、浸漬管本体の下端と同じ深さであってもよい。閉じ込め空間5は、連続的であってもよく、または、浸漬管の長さに沿って、任意の数のパターンを形成する区画8に分割されていてもよい（図３を参照）。これらの区画は、互いに隣接していてもよく、または区画の間に隙間があってもよい。各区画は、1種または複数の孤立させた成分（I1、I2、I3）を含み得る。区画は、浸漬管本体と外管の間に位置する仕切り壁9により形成される。浸漬管本体と外管の間の距離Dは一定でもよいし、または、浸漬管本体の長さに沿って変化してもよい（図4を参照）。浸漬管本体の長さに沿って閉じ込め空間の容積を制御することができるので、配合者は、容器内の製品の高さに沿って、変化する量の孤立させた成分を配置することが可能である。このような方法で、容器がエキゾチックな、不規則な形状を有する場合であっても、日常的な実験により、満足な結果を成し遂げる孤立させた成分の適当な分布が得られる。例えば、容器の広い部分に、狭い部分よりも多くの孤立させた成分を配することができ、各部分における孤立させた成分の量の違いは、広い部分と狭い部分の相対的な寸法に依存する。1種または複数の孤立させた成分の制御された分布を支持するために浸漬管本体の実質的な長さを用いることにより、本発明は、消費者向け包装内におけるその他の配合物に影響を及ぼす能力の点で、従来技術をしのぐ。
【００１５】
本発明の1つの変形（図5a、5bを参照）においては、外管30は、同軸の内壁30cと外壁30dを含む。内壁と外壁は各々、内面と外面を有する。閉じ込め空間50は、外壁の内面30eと内壁の外面30fの間に位置する。閉じ込め空間の端は任意の適切な手段によって閉鎖されるが、図5aには、底部に一体成形された末端部40aが、頂部にガスケット40bが示されている。孔70は、外管の外部の空間と閉じ込め空間との間の流体連通を構築するように外管の外壁を貫通している。末端部とガスケットもまた、孔を有していてもよい。外管の内壁の内面30gは、外管内に浸漬管本体20を収容することができるような半径Rを有する。半径Rの大きさが適切に定められていれば、摩擦によって浸漬管本体の適当な位置に外管を保持することができる。その他の方法では、いくつかの他の取り付け手段（例えば、接着または一体成形）を用いてもよい。
【００１６】
本発明の他の変形において、外管の壁に、孤立成分を含浸させることができる。本実施形態において、孤立させた成分とその他の配合物との間の流体連通を可能にするのに外管本来の多孔性が十分である場合には、孔を設ける必要はない。外管を成形または押し出し成形する前に、孤立させる物質をプラスチックスラリー中に単に混ぜることにより、孤立させた成分を外管内に含浸させることができる。
【００１７】
これのさらに別の変形において、孤立させる物質を外管内に含浸させるが、孤立させた物質とその他の配合物との間で流体連通は起こらない。この場合には、孤立させた物質は、外管を通してその作用を及ぼすことができる。この例としては、孤立させた成分が磁気である場合があろう。外に向かう磁場は、前記流体連通のない場合さえ配合物内に発生するであろう。これをさらに一工程行うことで、外管を省略し、孤立させる物質を浸漬管本体に含浸させることができる。
【００１８】
本発明の他の変形において、外管は、メッシュ300から形成される（図6を参照）。閉じ込め空間500は、メッシュおよび浸漬管本体200によって境界が画される。ここでも閉じ込め空間を分割し、各区画を、孤立させた成分の適当な量を保持するように、任意の適切な容積にすることが可能である。メッシュは、容器内の製品が孤立させた成分と流体接触するためのものであるが、孤立させた成分がメッシュを通過できないような大きさにする。メッシュは、織布生地またはプラスチックもしくは金属スクリーンであってもよい。また、停止手段400の１実施形態が、図6および7に示されている。このスナップ嵌合カラーは、環状コレット400aとコレット内にスナップ嵌合するプラグ400bとを含む。コレットを、メッシュ上に滑らせ、次いで、プラグをメッシュの頂部または底部に挿入する。次いで、コレットを、プラグ上で上下にスライドさせ、コレットとプラグの間にメッシュを押し込む。コレットおよびプラグに、コレット内にプラグを固定するための協同する取り付け品または移動止め400cを設けてもよい。
【００１９】
本発明の機能性浸漬管は、周知の成形、押し出し成形、および組み立て技術を用いて、製造または組み立てることができる。しかし、本発明は更に、本発明の機能性浸漬管を作るために、通常の非機能性浸漬管を改造する方法に関する。当該方法には、浸漬管本体の高さの実質的な部分に渡って、浸漬管本体の周囲に、1種または複数の孤立させた成分を閉じ込め空間内に収容するように適合した当該空間を配置する工程が含まれる。
【００２０】
上記の発明は、添付の請求項により制限される発明と等しい方法で実施され得ることを理解されたい。当業者は、かかるわずかな変形を容易に理解し、これらはまた、当該請求項に包含される。
【図面の簡単な説明】
【００２１】
【図１】図1は、ポンプディスペンサーを有する一般的な容器を表す。
【図２ａ】図2aは、外管および停止手段が横断面にて示されている、本発明の浸漬管の正面図である。
【図２ｂ】図2bは、図2aの浸漬管の一部の拡大断面図である。
【図３】図3は、浸漬管内の複数の区画を示している図2bの別の実施形態である。
【図４】図4は、浸漬管に沿って変化する閉じ込め空間を示している図2aの別の実施形態である。
【図５ａ】図5aは、外管によって完全に囲まれた孤立させた成分を示している図2bの別の実施形態である。
【図５ｂ】図5bは、図5aのAA線に沿った横断面である。
【図６】図6は、外管のメッシュの実施形態を表す正面図である。
【図７ａ】図7aは、図6の実施形態に有用なコレット-プラグ停止手段を表す。
【図７ｂ】図7bは、コレット−プラグ停止手段の断面図である。
【符号の説明】
【００２２】
１  浸漬管
２  浸漬管本体
３  外管
３ａ  外管上端
３ｂ  外管下端
５  閉じ込め空間
７  孔
Ｉ  孤立させた成分
Ｐ  ポンプディスペンサー
【図１】
2007534563.tif 000003
【図２ａ】
2007534563.tif 000004
【図２ｂ】
2007534563.tif 000005
【図３】
2007534563.tif 000006
【図４】
2007534563.tif 000007
【図５ａ】
2007534563.tif 000008
【図５ｂ】
2007534563.tif 000009
【図６】
2007534563.tif 000010
【図７ａ】
2007534563.tif 000011
【図７ｂ】
2007534563.tif 000012
【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
配合物と一緒に使用するためのポンプディスペンサー用の機能性浸漬管であって、
浸漬管本体と、
浸漬管本体の高さの実質的な部分を囲む1以上の閉じ込め空間と、
1以上の閉じ込め空間内に閉じ込められた1以上の孤立させた成分
を含んでなり、
機能性浸漬管を配合物中に浸漬するときはいつでも、1以上の孤立させた成分が配合物と化学的な接触をする、当該機能性浸漬管。
【請求項２】
浸漬管本体の高さの実質的な部分を囲む外管をさらに含み、当該外管が浸漬管本体に取り付ける上端および下端を含んでなる、請求項１に記載の機能性浸漬管。
【請求項３】
外管がさらに、閉じ込め空間と外管の外部との間の流体連通を可能とする孔を含む、請求項２に記載の機能性浸漬管。
【請求項４】
孤立させた成分が閉じ込め空間から流出することを防止するように、孔が寸法決定されている、請求項３に記載の機能性浸漬管。
【請求項５】
２以上の閉じ込め空間を含んでなる、請求項１に記載の機能性浸漬管。
【請求項６】
閉じ込め空間がそれぞれ、1以上の孤立させた成分を含む、請求項５に記載の機能性浸漬管。
【請求項７】
浸漬管本体および外管が、浸漬管本体の長さに沿って異なる距離で離れている、請求項２に記載の機能性浸漬管。
【請求項８】
外管がメッシュから形成されている、請求項２に記載の機能性浸漬管。
【請求項９】
メッシュが、織布、プラスチックスクリーンおよび金属スクリーンからなる群から選択される、請求項８に記載の機能性浸漬管。
【請求項１０】
孤立させた成分の少なくとも1つが磁気である、請求項１に記載の機能性浸漬管。
【請求項１１】
浸漬管本体の高さの少なくとも50%が、1以上の閉じ込め空間によって囲まれている、請求項１に記載の機能性浸漬管。
【請求項１２】
浸漬管本体の高さの少なくとも75%が、1以上の閉じ込め空間によって囲まれている、請求項11に記載の機能性浸漬管。
【請求項１３】
浸漬管本体の高さの少なくとも90%が、1以上の閉じ込め空間によって囲まれている、請求項12に記載の機能性浸漬管。
【請求項１４】
浸漬管本体の少なくとも一部を囲む外管をさらに含み、当該外管が、上端および下端と、同軸の内壁および外壁とを含んでなり、1以上の閉じ込め空間が内壁と外壁との間に位置するようなる、請求項１に記載の機能性浸漬管。
【請求項１５】
ポンプディスペンサーを受容するのに適した首仕上げを有する容器と、
容器内に配置した化学製品と、
容器に取り付けたポンプディスペンサーを含む、分配包装であって、
該ポンプディスペンサーが、
浸漬管本体と、
浸漬管本体の少なくとも一部を囲む閉じ込め空間と、
閉じ込め空間内に閉じ込められた1以上の孤立させた成分
を有する機能性浸漬管を含んでなり、
機能性浸漬管を製品中に浸漬するときはいつでも、1以上の孤立させた成分が製品と化学的な接触をする、分配包装。
【請求項１６】
浸漬管本体の高さの実質的な部分に渡って、浸漬管本体の周囲に、1以上の孤立させた成分を閉じ込め空間内に閉じ込める当該空間を配置する工程を含んでなる、機能性浸漬管を製造する方法であって、
ここで、閉じ込め空間および／または孤立させた成分は、機能性浸漬管を化学製品中に浸漬するときはいつでも、1以上の孤立させた成分が当該製品と化学的な接触をするようなものである、当該方法。
【国際調査報告】
2007534563.tif 000013